(57)【要約】      （修正有）【課題】特に発光モジュールにより所定のパターン又は符号を表示するディスプレイを提供する。【解決手段】模様付きパネル２、発光モジュール１を備え、模様付きパネルは、透光基板Ｓ、第１の光透過部２１、第２の光透過部２２、及び第３の光透過部２３を含む。第３の光透過部は第１の光透過部及び第２の光透過部に隣り合う。第３の透過スペクトルと第１の透過スペクトルとは第１の重なり範囲を有し、第３の透過スペクトルと第２の透過スペクトルとは、第２の重なり範囲を有する。発光モジュールは、第１の発光ユニット１１及び第２のビームを発生する第２の発光ユニット１２を含む。第１のビームのピーク値は第１の重なり範囲にあり、第２のビームのピーク値は第２の重なり範囲にある。近くのブロック位置に異なる文字、符号又はパターンを表示するディスプレイを提供し、模様付きパネルの面積、サイズ及び厚さを低減する。【選択図】図１Ａ
2020134942.tif 000002
【特許請求の範囲】
【請求項１】
第１の発光ユニット及び第２の発光ユニットを含む発光モジュールと、
前記発光モジュールの上に設けられる模様付きパネルと、
を備える、ディスプレイであって、
前記模様付きパネルは、
透光基板と、
前記透光基板に設けられ、第１の透過スペクトルを有する第１の光透過部と、
前記透光基板に設けられ、第２の透過スペクトルを有する第２の光透過部と、
前記透光基板に設けられ、第３の透過スペクトルを有する第３の光透過部と、
を含み、
前記第３の光透過部は前記第１の光透過部及び前記第２の光透過部に隣り合い、前記第３の透過スペクトルと前記第１の透過スペクトルとは、第１の重なり範囲を有し、前記第３の透過スペクトルと、前記第２の透過スペクトルとは、第２の重なり範囲を有し、
前記第１の発光ユニットは、第１のビームを前記模様付きパネルを透過するように発生し、前記第１のビームのピーク値は前記第１の重なり範囲にあり、前記第２の発光ユニットは第２のビームを前記模様付きパネルを透過するように発生し、前記第２のビームのピーク値は、前記第２の重なり範囲にある、
ことを特徴とするディスプレイ。
【請求項２】
前記第３の光透過部は、前記第１の光透過部又は前記第２の光透過部に直接接触する、ことを特徴とする請求項１に記載のディスプレイ。
【請求項３】
前記第３の光透過部は、前記第１の光透過部又は前記第２の光透過部に直接接触しない、ことを特徴とする請求項１に記載のディスプレイ。
【請求項４】
前記第１のビームのピーク値は、第２の透過スペクトルの範囲内に位置しない、ことを特徴とする請求項１に記載のディスプレイ。
【請求項５】
前記第１のビームの波長範囲は、第２の透過スペクトルの範囲内に位置しない、ことを特徴とする請求項４に記載のディスプレイ。
【請求項６】
前記第１のビーム及び前記第２のビームのピーク値は、それぞれ４００ｎｍ〜５５０ｎｍ、５００ｎｍ〜５８０ｎｍ又は６００ｎｍ〜６６０ｎｍである、ことを特徴とする請求項１に記載のディスプレイ。
【請求項７】
前記第１の光透過部と前記第３の光透過部とに対する前記第１のビームの光透過率は５%より大きい、ことを特徴とする請求項１に記載のディスプレイ。
【請求項８】
前記第２の光透過部と前記第３の光透過部とに対する前記第２のビームの光透過率は５%より大きい、ことを特徴とする請求項１に記載のディスプレイ。
【請求項９】
前記発光モジュールは、導光板をさらに含み、前記第１の発光ユニット及び前記第２の発光ユニットは、前記導光板の側方に設けられる、ことを特徴とする請求項１に記載のディスプレイ。
【請求項１０】
前記第１の発光ユニット及び前記第２の発光ユニットは、前記第１の光透過部、前記第２の光透過部、及び前記第３の光透過部の下に設けられる、ことを特徴とする請求項１に記載のディスプレイ。
【請求項１１】
前記第１の光透過部、前記第２の光透過部、及び前記第３の光透過部の中の少なくとも一つは、多層構成である、ことを特徴とする請求項１に記載のディスプレイ。
【請求項１２】
前記模様付きパネルは、
前記透光基板に設けられ、第４の透過スペクトルを有する第４の光透過部をさらに備え、
前記第４の光透過部は前記第３の光透過部に隣り合い、
前記第３の透過スペクトルと前記第４の透過スペクトルとは、第３の重なり範囲を有し、
前記発光モジュールは、第３のビームを前記模様付きパネルを透過するように発生する第３の発光ユニットを含み、前記第３のビームのピーク値は、前記第３の重なり範囲にある、
ことを特徴とする請求項１に記載のディスプレイ。
【請求項１３】
前記第３のビームのピーク値は、前記第１の透過スペクトル及び前記第２の透過スペクトルの範囲内に位置しない、ことを特徴とする請求項１２に記載のディスプレイ。
【請求項１４】
前記第３のビームの波長範囲は、前記第１の透過スペクトル及び前記第２の透過スペクトルの範囲内に位置しない、ことを特徴とする請求項１３に記載のディスプレイ。
【請求項１５】
前記第４の光透過部及び第３の光透過部に対する前記第３のビームの光透過率は５%より大きい、ことを特徴とする請求項１２に記載のディスプレイ。
【発明の詳細な説明】
【技術分野】
【０００１】
本発明は、ディスプレイに関し、特に発光モジュールにより所定のパターン又は符号を表示するディスプレイに関する。
【背景技術】
【０００２】
従来のディスプレイは、主に、模様付きパネルに所定の文字又はパターンを印刷し、さらに発光モジュールを組み合わせて使用して、文字又はパターンを発光させて表示するものである。なお、文字又はパターンの印刷には、一般的に、粒子が拡散される白い顔料が使用されるので、文字とパターンの色は発光モジュールからの光源の色しか表示できず、色彩が比較的単調である。
【０００３】
今のディスプレイは、異なる色で印刷された文字又はパターンを提供し、さらに発光モジュールの光源を組み合わせて使用することにより、より多くの色彩が表現できるように改善された。しかし、一般の模様付きパネルにおいては、１つのブロック位置に１つのパターンや文字しか印刷されないので、多様な表示パターン及び色彩を提供するには大きな面積が必要となる。
【０００４】
しかし、電子製品が軽量化、薄型化、小体積になるように発展することにつれて、模様付きパネルモジュールの小型化は、主流になり、従って、どのように模様付きパネルの１つのブロック位置に異なるパターン又は文字を表示するか、また、どのように発光モジュールの光源を組み合わせて使用して異なる色彩を表示するかは、模様付きパネル及びディスプレイの設計、サイズ及び利用率に対して大きく寄与する。
【発明の概要】
【０００５】
上述の問題を解決するために、本発明が提供する技術的手段は、模様付きパネル及びその下に設けられる発光モジュールを備えるディスプレイである。具体的には、上記模様付きパネルは、透光基板、第１の光透過部、第２の光透過部及び第３の光透過部を含み、上記第１の光透過部、上記第２の光透過部及び上記第３の光透過部は全て上記透光基板に設けられ、上記第１の光透過部は第１の透過スペクトルを有し、上記第２の光透過部は第２の透過スペクトルを有し、上記第３の光透過部は第３の透過スペクトルを有する。上記第３の光透過部は上記第１の光透過部及び上記第２の光透過部に隣り合い、上記第３の透過スペクトルと上記第１の透過スペクトルとは第１の重なり範囲を有し、上記第３の透過スペクトルと上記第２の透過スペクトルとは第２の重なり範囲を有し、さらに、上記発光モジュールは、第１の発光ユニット及び第２の発光ユニットを含み、上記第１の発光ユニットは、第１のビームを上記模様付きパネルを透過するように発生し、上記第１のビームのピーク値は上記第１の重なり範囲にあり、上記第２の発光ユニットは第２のビームを上記模様付きパネルを透過するように発生し、上記第２のビームのピーク値は上記第２の重なり範囲にある。
【０００６】
さらに、上記第３の光透過部は、上記第１の光透過部又は上記第２の光透過部に直接接触する。
【０００７】
さらに、上記第３の光透過部は、上記第１の光透過部又は上記第２の光透過部に直接接触しない。
【０００８】
さらに、上記第１のビームのピーク値は第２の透過スペクトルの範囲内に位置しない。さらに、上記第１のビームの波長範囲は第２の透過スペクトルの範囲内に位置しない。
【０００９】
さらに、上記第１のビーム及び第２のビームのピーク値は、それぞれ４００ｎｍ〜５５０ｎｍ、５００ｎｍ〜５８０ｎｍ又は６００ｎｍ〜６６０ｎｍである。
【００１０】
さらに、上記第１の光透過部と上記第３の光透過部とに対する上記第１のビームの光透過率は５%より大きい。
【００１１】
さらに、上記第２の光透過部と上記第３の光透過部とに対する上記第２のビームの光透過率は５%より大きい。
【００１２】
さらに、上記第１の発光ユニットは、上記第２の光透過部の下に設けられない。
【００１３】
さらに、上記第１の発光ユニット及び上記第２の発光ユニットは、上記第３の光透過部の下に設けられる。
【００１４】
さらに、上記第１の光透過部、上記第２の光透過部、又は上記第３の光透過部の中の少なくとも一つは、多層構成である。
【００１５】
さらに、上記模様付きパネルは、上記透光基板に設けられ、第４の透過スペクトルを有する第４の光透過部をさらに備える。上記第４の光透過部は上記第３の光透過部に隣り合い、上記第３の透過スペクトルと上記第４の透過スペクトルとは第３の重なり範囲を有する。上記発光モジュールは第３の発光ユニットを含み、上記第３の発光ユニットは第３のビームを上記模様付きパネルを透過するように発生し、上記第３のビームのピーク値は上記第３の重なり範囲にある。
【００１６】
さらに、上記第３のビームのピーク値は、上記第１の透過スペクトル及び上記第２の透過スペクトルの範囲内に位置しない。
【００１７】
さらに、上記第３のビームの波長範囲は、上記第１の透過スペクトル及び上記第２の透過スペクトルの範囲内に位置しない。
【００１８】
さらに、上記第４の光透過部と上記第３の光透過部とに対する上記第３のビームの光透過率は５%より大きい。
【００１９】
本発明の特徴及び技術内容がより一層分かるように、以下に本発明に関する詳細な説明と図面を記載するが、提供される図面は、参考と説明を提供するためのものに過ぎず、本発明を制限するためのものではない。
【図面の簡単な説明】
【００２０】
【図１Ａ】本発明における実施例のディスプレイを示す側面模式図である。
【図１Ｂ】本発明における実施例のディスプレイを示す側面模式図である。
【図２Ａ】本発明における第１の実施例を示す上面模式図である。
【図２Ｂ】本発明における第１の実施例の表示文字符パターンを示す上面模式図である。
【図２Ｃ】本発明における第１の実施例の実施組合せ１の光透過部及び発光モジュールによるスペクトル図である。
【図２Ｄ】本発明における第１の実施例の実施組合せ２の光透過部及び発光モジュールによるスペクトル図である。
【図２Ｅ】本発明における第１の実施例の実施組合せ３の光透過部及び発光モジュールによるスペクトル図である。
【図２Ｆ】本発明における第１の実施例の実施組合せ３の光透過部及び発光モジュールによるスペクトル図である。
【図３Ａ】本発明における第２の実施例を示す上面模式図である。
【図３Ｂ】本発明における第２の実施例の表示文字符パターンを示す上面模式図である。
【図３Ｃ】本発明における第２の実施例の光透過部及び発光モジュールによるスペクトル図である。
【図４Ａ】本発明における第３の実施例を示す上面模式図である。
【図４Ｂ】本発明における第３の実施例の表示文字符パターンを示す上面模式図である。
【図４Ｃ】本発明における第３の実施例の光透過部及び発光モジュールによるスペクトル図である。
【図５Ａ】本発明における実施例の模様付きパネルの製造方法を示す流れ図である。
【図５Ｂ】本発明における他の実施例の模様付きパネルの製造方法を示す流れ図である。
【発明を実施するための形態】
【００２１】
以下、所定の具体実施例により本発明に開示される「ディスプレイ」に関する実施の形態を説明する。当業者は本明細書に開示される内容により本発明のメリットと効果が理解できる。本発明は他の具体実施例により実施又は応用されてもよく、本明細書における詳細は他の観点や応用に基づき、本発明の趣旨を逸脱することなく様々な変更を行ってもよい。また、本発明の添付図面は簡単な説明に過ぎず、実際のサイズに応じて描画されるものではない。以下の実施の態様は本発明に係る技術内容を詳しく説明するが、開示される内容は本発明の保護範囲を制限しない。
【００２２】
本文では、用語「第１の、第２の、第３の」などで各種の素子又は信号を説明することがあるが、これらの素子又は信号はこれらの用語に限定されないことが理解される。これらの用語は、主に一方の素子と他方の素子、又は一方の信号と他方の信号を区別するためのものに過ぎない。なお、本明細書に使用される用語「又は」は、実際の状況に応じて、挙げられた関連の項目の中のいずれかの１つ又は複数の組合せを含む。
【００２３】
上記の問題を解決するために、本発明は、模様付きパネルと、その下に設けられる発光モジュールとを備えるディスプレイを提供する。発光モジュールには、種類によって異なる色のビームを発生し得る複数種類の色違いの発光ユニットが含まれている。模様付きパネルは、複数の文字パターンを含む。文字パターンの数は発光ユニットの色の数に対応し、かつ、文字パターン同士が互いに一部重なり、（重なる。）即ち、各文字パターンは、非重なり領域と、他の文字パターンと共有する重なり領域とを含む。なかでも、各文字パターンの非重なり領域及び重なり領域における透過スペクトル又は色は、選定されるものである。それにより、第１種類の色を有する発光ユニットが駆動された場合、発生された光が1種類の文字パターンのみ透過でき、他の文字パターンを効果的に透過できないが、第２種類の色を有する発光ユニットが駆動された場合、発生された光が別の１種類の文字パターンのみ透過でき、他の文字パターンを効果的に透過できなくなり、このように類推される。これにより、ディスプレイは同一の範囲で２種類以上の文字パターンを表示させることができる。なお、文字パターンの一部が重なるので、既存の市販製品と比べると、本発明に係るディスプレイの体積が小さいため、小型化の目的が効果的に達成できる。
【００２４】
上記の目的を実現するために、本発明には、新規な模様付きパネルも提供される。以下、まず、２種類の文字パターンを有する模様付きパネル及びディスプレイを例として本発明の詳細を説明する。
【００２５】
本実施形態において、模様付きパネルは、透光基板、第１の光透過部、第２の光透過部及び第３の光透過部を備える。第３の光透過部は第１の光透過部及び第２の光透過部に隣り合う。第１の光透過部は、第３の光透過部に隣り合い、且つ第１の文字パターンと対応的に形成される。第２の光透過部は、第３の光透過部に隣り合い、且つ第２の文字パターンと対応的に形成される。言い換えれば、第３の光透過部は、第１の文字パターンと第２の文字パターンとの重なり領域であり、第１の光透過部及び第２の光透過部は、それぞれ第１の文字パターンと第２の文字パターンとの各自の領域であって、すなわち非重なり領域である。特に説明すべきことは、本発明における各文字パターンは、連続した図形である必要がなく、分離した図形であってもよい。例えば、符号「i」は、一本の直線及び分散した点を含む。すなわち、隣り合った光透過部とは、互いに直接接触してもよいし、直接接触しなくてもよい。例えば、第１の光透過部と第３の光透過部とは、直接接触してもよいし、直接接触しなくてもよい。同様に、第２の光透過部と第３の光透過部とは、直接接触してもよいし、直接接触しなくてもよい。なお、光透過部自体は、連続した領域であってもよいし、分散した領域であってもよく、こういった変化は本発明の範囲に含まれる。
【００２６】
本実施形態において、第１の光透過部、第２の光透過部及び第３の光透過部は、それぞれ第１の透過スペクトル、第２の透過スペクトル及び第３の透過スペクトルを有する。第１の透過スペクトルと第３の透過スペクトルとは第１の重なり範囲を有し、第２の透過スペクトルと第３の透過スペクトルとは第２の重なり範囲を有する。なお、第１の文字パターンに対応する第１の発光ユニットは、ピーク値が第１の重合範囲内にある第１のビームを発生する。それにより、第１の発光ユニットが駆動された場合、発生される第１のビームが第１の光透過部及び第３の光透過部を透過して、ディスプレイに第１の文字パターンが表示される。なお、第１のビームを第１の文字パターンにのみ透過させる（すなわち、第１の光透過部及び第３の透光部のみを透過できるが、第２の光透過部を透過できない）ためには、第１のビームのピーク値が第２の透過スペクトルの範囲内に位置しない必要がある。第１のビームの全体の波長範囲が第２の透過スペクトルの範囲内に位置しないことがさらに好ましい。なお、より良い表示効果を取得するために、第１の光透過部の第１のビームに対する光透過率が５%より大きいことが好ましい。
【００２７】
同様に、第２の文字パターンに対応する第２の発光ユニットは、ピーク値が第２の重なり範囲にある第２のビームを発生する。それにより、第２の発光ユニットが駆動された場合、発生される第２のビームが第２の光透過部及び第３の光透過部を透過して、ディスプレイに第２の文字パターンが表示されるようになる。第２のビームを第２の文字パターンにのみ透過させる（すなわち、第２の光透過部及び第３の透光部のみを透過するが、第１の光透過部を透過できない）ためには、第２のビームのピーク値が第１の透過スペクトルの範囲内に位置しない必要がある。第２のビームの全体の波長範囲が第１の透過スペクトルの範囲内に位置しないことがさらに好ましい。なお、より良い表示効果を取得するために、第２の光透過部の第２のビームに対する光透過率が５%より大きいことが好ましい。
【００２８】
後述の実施例において、光透過部は、透光性のインク材料からなり、印刷によって透光基板に形成されるが、本発明がこの例に限定されない。光透過部の材料は、他の透光性の材料に取り替えられてもよい。また、光透過部は、他の方式（例えば、蒸着、スパッタリング）で透光基板に形成されてもよい。なお、ディスプレイの光取り出しの均一性を向上させるために、光透過部に光拡散剤を添加してもよい。そして、光透過部の透過スペクトルを効率よく制御するために、本発明における一部の実施形態において、光透過部は多層構成でもよい。すなわち、第１の光透過部、第２の光透過部、又は第３の光透過部は、複数の透光層より構成されてもよい。例として、一部の実施形態において、青の発光ユニットからのビームは緑インク層を透過するが、黄色インク層に阻止される。そのため、緑の発光ユニットに対応する光透過部を形成する場合は、緑インク層だけでなく、黄色インク層をさらに積層する。これによって、隣り合った青の発光ユニットのビームが黄色インク層に阻止されて当該光透過部を透過できないが、緑の発光ユニットから発生するビームは当該光透過部を透過できる。このように、青色及び緑色が互いに干渉せずに表示される。好ましい実施形態において、黄色透光層が緑の透光層の下に位置するので、当該光透過部の外観が緑であって、より良い外観になる。
【００２９】
一部の実施例において、第１の透過スペクトル及び第２の透過スペクトルは、波長範囲３９０ｎｍ〜５５０ｎｍ、４００ｎｍ〜６００ｎｍ、及び５９０ｎｍ〜８００ｎｍからなる群から選ばれてもよい。上記の範囲に対応して、第１の光透過部及び第２の光透過部は、例えば、青、緑又は赤のいずれかであってもよい。前述した第１のスペクトル及び第２のスペクトルの波長範囲を適用した場合、第３の透過スペクトルは、波長範囲４００ｎｍ〜６００ｎｍ、又は４８０ｎｍ〜８００ｎｍから選ばれるものであると共に、波長範囲３９０ｎｍ〜５２５ｎｍ、５７０ｎｍ〜８００ｎｍ、及び３８０ｎｍ〜８００ｎｍからなる群を含んでもよい。上記波長範囲に対応して、第３の光透過部の色は、例えば、緑、黄色、マゼンタ又は透明であってもよいが、光拡散剤の量によって、透明の代わりに、白色を使用してもよい。なお、上記群に対応する第１の重なり範囲及び第２の重なり範囲は、３９０ｎｍ〜５５０ｎｍ、４８０ｎｍ〜６００ｎｍ及び５９０ｎｍ〜８００ｎｍであってもよい。
【００３０】
上記のように、上記の２つの文字パターンを含む模様付きパネルを使用する場合、発光モジュールは、それぞれ第１のビーム及び第２のビームを発生する２つの発光ユニット、即ち第１の発光ユニット及び第２の発光ユニットを有する必要がある。本発明において、発光ユニットは、１つ又は複数の光源を含んでもよく、且つ、２種類の文字パターンを明確に表示するために、第１のビームと第２のビームの色を同一にすることができない。一部の実施形態において、発光モジュールは、直下式発光のものである。即ち、発光ユニットは模様付きパネルの下に直接設けられる。また、文字符パターンの分布形態に対応して、第１の発光ユニット及び第２の発光ユニットは対応の文字パターンの下に設置される。つまり、発光ユニットは第１の光透過部、第２の光透過部及び第３の光透過部の下に離間して分散設置してもよい。しかし、図１Ｂに示されるように、他の一部の実施形態において、発光モジュールは、側方発光のものである。即ち、発光モジュールは、模様付きパネルの下に設けられる導光板を有し、且つ、第１の発光ユニット及び第２の発光ユニットは導光板の側方に設けられる。本発明において、好ましくは、発光源は、例えば、発光ダイオード又はレーザダイオードのような、半値全幅の狭いものである。ピーク値は、波長範囲４００ｎｍ〜５５０ｎｍ、５００ｎｍ〜５８０ｎｍ、及び６００ｎｍ〜６６０ｎｍの中から選ばれることが好ましい。上記範囲に対応すれば、青、緑又は赤のビームを発生できる。
【００３１】
なお、直下発光の態様では、表示効果を向上させるために、好ましくは、発光源は、重なり領域と、上記文字パターンの下（すなわち、上記文字パターンの重なり領域及び/又は非重なり領域の下）とに設けられ、他の文字パターンの非重なり領域の下に設けられない。これに対して、一部の実施形態において、重なり領域の下に２種類以上の発光ユニットが設けられてもよい。例えば、２つの文字パターンを含むディスプレイの場合、第１の発光ユニットは、第２の光透過部ではなく、第１の光透過部及び/又は第３の光透過部の下に設けられる。一方、第２の発光ユニットは、第１の光透過部の下ではなく、第２の光透過部及び/又は第３の光透過部の下に設けられる。
【００３２】
上記の２種類の文字パターンを含むものだけでなく、本発明は、以下のように、３種類の文字パターンを含む模様付きパネル及びディスプレイをも例示する。
【００３３】
３種類の文字パターンを含む模様付きパネルにおいては、上記の第１の光透過部、第２の光透過部及び第３の光透過部に加えて、第４の光透過部を透光基板に形成してもよい。当該第４の光透過部は、透光基板に設けられ、第３の光透過部と隣り合うように第３の文字パターンに形成される。つまり、第１の文字パターン、第２の文字パターン及び第３の文字パターンの一部は重なる。第３の光透過部は３つの文字パターンの重なり領域であるが、第１の光透過部、第２の光透過部、第４の光透過部は、それぞれ第１の文字パターン、第２の文字パターン及び第３の文字パターンの各自の領域であり、すなわち非重なり領域である。
【００３４】
具体的には、第１の光透過部、第２の光透過部、第３の光透過部及び第４の光透過部は、それぞれ第１の透過スペクトル、第２の透過スペクトル、第３の透過スペクトル及び第４の透過スペクトルを有する。第３の透過スペクトルは、第１の透過スペクトル及び第２の透過スペクトルとは第１の重なり範囲及び第２の重なり範囲を有する。さらに、第３の透過スペクトルは、第４の透過スペクトルとは第３の重なり範囲を有する。一方、第１の文字パターンに対応する第１の発光ユニットは第１のビームを発生する。第１のビームのピークは第１の重なり範囲に位置し、第２の透過スペクトル及び第４の透過スペクトルの重なり範囲内に位置しない。好ましくは、第１のビーム全体の波長範囲が、第２の透過スペクトル及び第４の透過スペクトルの重なり範囲内に位置しない。これにより、第１の発光ユニットが駆動された場合、発生される第１のビームは第１の光透過部及び第３の光透過部を透過でき、第２の光透過部及び第４の光透過部を透過できない。これにより、ディスプレイに第１の文字パターンが表示される。
【００３５】
同様に、第２の文字パターンに対応する第２の発光ユニットは第２のビームを発生する。第２のビームのピークは第２の重なり範囲に位置し、第１の透過スペクトル及び第４の透過スペクトルの範囲内に位置しない。好ましくは、第２のビーム全体の波長範囲が、第１の透過スペクトル及び第４の透過スペクトルの範囲内に位置しない。第３の文字パターンに対応する第３の発光ユニットは第３のビームを発生する。第３のビームのピークは第３の重なり範囲に位置し、第１の透過スペクトル及び第２の透過スペクトルの範囲内に位置しない。好ましくは、第３のビーム全体の波長範囲が、第１の透過スペクトル及び第２の透過スペクトルの範囲内に位置しない。これにより、第２の発光ユニットが駆動された場合、発生される第２のビームが第２の光透過部及び第３の光透過部を透過して、第２の文字パターンはディスプレイに表示される。第３の発光ユニットが駆動された場合、発生される第３のビームが第４の光透過部及び第３の光透過部を透過して、第３の文字パターンはディスプレイに表示される。同様に、好ましくは、より良い表示効果のために、第４の光透過部及び第３の光透過部に対する第３のビームの光透過率が５%より大きい。
【００３６】
一部の上記ディスプレイの実施例において、発光モジュールは、それぞれ第１のビーム、第２のビーム及び第３のビームを発生する第１の発光ユニット、第２の発光ユニット及び第３の発光ユニットを備える。第１のビーム〜第３のビームのピーク値は、それぞれ波長範囲４００ｎｍ〜５５０ｎｍ、５００ｎｍ〜５８０ｎｍ、及び６００ｎｍ〜６６０ｎｍにある。即ち、第１のビーム、第２のビーム及び第３のビームは、それぞれ青、緑及び赤である。この際に、第１の透過スペクトル及び第２の透過スペクトル及び第４の透過スペクトルは、それぞれ波長範囲３９０〜５５０ｎｍ、４００〜６００ｎｍ、及び５９０ｎｍ〜８００ｎｍに対応する。即ち、第１の光透過部、第２の光透過部、第４の光透過部は、それぞれ青、緑及び赤である。この実施例において、好ましくは、第３の透過スペクトルが３８０ｎｍ〜８００ｎｍである。即ち、第３の光透過部の色は透明であるが、光拡散剤の量によっては白でもよい。
【００３７】
なお、上記の実施例においては、両者の間に重なり領域がなく、３種類の文字パターンの三者が共有する重なり領域（即ち、第３の光透過部）を有するディスプレイを例示した。しかし、本発明がこれに限定されることなく、必要に応じて、第１の文字パターンと第２の文字パターンとの間に、第２の文字パターンと第３の文字パターンとの間に、及び第１の文字パターンと第３の文字パターンとの間に重なり領域を有してもよい。言い換えれば、模様付きパネルは、第１の光透過部、第２の光透過部、第３の光透過部及び第４の光透過部の他に、第５の透過スペクトルを有する第５の光透過部、第６の透過スペクトルを有する第６の光透過部、及び第７の透過スペクトルを有する第７の光透過部を含んでもよい。具体的には、第１の光透過部、第３の光透過部、第５の光透過部及び/又は第７の光透過部は、互いに隣り合って第１の文字パターンに形成される。第２の光透過部、第３の光透過部、第５の光透過部及び/又は第６の光透過部は、互いに隣り合って第２の文字パターンに形成される。第４の光透過部、第３の光透過部、第６の光透過部及び/又は第７の光透過部は、互いに隣り合って第３の文字パターンに形成される。つまり、第３の光透過部の他に、第５の光透過部は第１の文字パターンと第２の文字パターンとの別の重なり領域となり、第６の光透過部は第２の文字パターンと第３の文字パターンとの別の重なり領域となり、第７の光透過部は、第１の文字パターンと第３の文字パターンとの別の重なり領域となる。
【００３８】
上記の透過スペクトル及びビームの選択基準と同じように、第１の透過スペクトル、第３の透過スペクトル、第５の透過スペクトル及び/又は第７の透過スペクトル（第１の文字パターンに対応する）は、第１の重なり範囲を有する。第１のビームのピークは上記第１の重なり範囲に位置し、第２の透過スペクトル、第４の透過スペクトル及び第６の透過スペクトル（第１の文字パターンに対応しない）の範囲内に位置しない。同様に、第２の透過スペクトル、第３の透過スペクトル、第５の透過スペクトル及び/又は第６の透過スペクトル（第２の文字パターンに対応する）は、第２の重なり範囲を有する。第２のビームのピークは上記第２の重なり範囲に位置し、第１の透過スペクトル、第４の透過スペクトル、第７の透過スペクトル（第２の文字パターンに対応しない）の範囲内に位置しない。同様に、第４の透過スペクトル、第３の透過スペクトル、第６の透過スペクトル及び/又は第７の透過スペクトル（第３の文字パターンに対応する）は第３の重なり範囲を有する。第３のビームのピークは上記第３の重なり範囲に位置し、第１の透過スペクトル、第２の透過スペクトル、第５の透過スペクトル（第３の文字パターンに対応しない）の範囲内に位置しない。これにより、それぞれ第１の発光ユニット、第２の発光ユニット又は第３の発光ユニットが駆動された場合、ディスプレイには、第１の文字パターン、第２の文字パターン又は第３の文字パターンがそれぞれ表示される。
【００３９】
よって、例えば、一部の上記ディスプレイの実施例において、第１のビーム〜第３のビームのピークは、それぞれ波長範囲４００ｎｍ〜５５０ｎｍ、５００ｎｍ〜５８０ｎｍ、及び６００ｎｍ〜６６０ｎｍにある。即ち、第１のビーム、第２のビーム、及び第３のビームは、それぞれ青、緑及び赤である。この際に、第１、第２及び第４の透過スペクトルは、それぞれ波長範囲３９０ｎｍ〜５５０ｎｍ、４００ｎｍ〜６００ｎｍ、及び５９０ｎｍ〜８００ｎｍに対応する。即ち、第１の光透過部、第２の光透過部、第４の光透過部は、それぞれ青、緑及び赤である。なお、第３の透過スペクトルが３８０ｎｍ〜８００ｎｍであることが好ましい。即ち、第３の光透過部の色は透明であるが、光拡散剤の量によっては白になってもよい。第５の透過スペクトル、第６の透過スペクトル及び第７の透過スペクトルは、それぞれ波長範囲４８０ｎｍ〜８００ｎｍ、及び４００ｎｍ〜６００ｎｍと対応すると共に、波長範囲３９０ｎｍ〜５２５ｎｍ及び５７０ｎｍ〜８００ｎｍも含んでいる。即ち、第５の光透過部、第６の光透過部、第７の光透過部は、それぞれ黄色、緑及びマゼンタである。
【００４０】
以上に、２種類の文字パターン及び３種類の文字パターンのディスプレイを例示したが、本発明はこれに限定されることなく、当業者が本発明の内容を参酌して、必要に応じて文字パターン、光透過部及び発光ユニットの数を増やしてもよい。これらの態様のいずれも本発明の範囲に含まれる。
【００４１】
本発明に係るディスプレイをさらに詳しく説明するために、以下の実施例を例示する。
【００４２】
第１の実施例
図１Ａ及び１Ｂは、本発明に係るディスプレイＤ側面を示す断面模式図であり、図２Ａ、２ＢはディスプレイＤを示す上面模式図である。図１Ａに示されるように、本発明の第１の実施例は、発光モジュール１及び模様付きパネル２を備えるディスプレイＤを提供する。模様付きパネル２は発光モジュール１の上に設けられ、発光モジュール１は第１の発光ユニット１１及び第２の発光ユニット１２を含む。また、模様付きパネル２は、透光基板Ｓ、第１の光透過部２１、第２の光透過部２２及び第３の光透過部２３を含む。即ち、第１の光透過部２１、第２の光透過部２２及び第３の光透過部２３は、いずれも透光基板Ｓに設けられ、詳しく説明すると、透光基板Ｓにおける同一の平面に設置され、且つ発光モジュール１とは別の平面に設置される。また、第１の発光ユニット１１及び第２の発光ユニット１２は、第１の光透過部２１、第２の光透過部２２及び第３の光透過部２３の下に設けられる。図１Ｂは、本発明に係るディスプレイの他の実施形態であり、当該ディスプレイは、発光モジュール１、模様付きパネル２及び導光板Ｇを備える。導光板Ｇは模様付きパネル２の下に設けられ、発光モジュール１は、導光板Ｇの側辺に設けられる第１の発光ユニット１１及び第２の発光ユニット１２を含む。
【００４３】
図２Ａは、図１Ａの上面模式図である。第１の光透過部２１、第２の光透過部２２及び第３の光透過部２３は、いずれも透光基板Ｓの同一の表面に設けられる。第３の光透過部２３は、第１の光透過部２１及び第２の光透過部２２と隣接し、第１の光透過部２１及び第２の光透過部２２の間に位置する。
【００４４】
図２Ｂは、本発明に係る第１の実施例のディスプレイＤによって表示される文字パターンを示す。第１の光透過部１、第２の光透過部２及び第３の光透過部３の組合せにより、ディスプレイＤは、第１の光透過部１と第３の光透過部３とにより組合された第１の文字パターンＡ、及び第１の光透過部２と第３の光透過部３により組合された第２の文字パターンＢの２種類の文字パターンを表示することができる。
【００４５】
次に、表１及び図２Ｃ〜２Ｆを参照して、実施組合せ１〜４における各部材のスペクトル特性を説明する。実施組合せ１では、図２Ｃに示されるように、第１の光透過部２１はＬ１の透過スペクトルを有する赤インク層であり、第２の光透過部２２はＬ２の透過スペクトルを有する緑インク層であり、第３の光透過部２３はＬ４の透過スペクトルを有する黄色インク層である。この実施組合せにおいて、第１の発光ユニット１１は、Ｅ１の発光スペクトルを有する赤光ＬＥＤを含み、当該赤光ＬＥＤが駆動された場合、発生される赤光は赤インク層（第１の光透過部２１）及び黄色インク層（第３の光透過部２３）のみを透過し、緑インク層（第２の光透過部２２）を透過できない。それによって、赤の文字パターンＡが表示される。又、第２の発光ユニット１２は、Ｅ２の発光スペクトルを有する緑光ＬＥＤを含み、当該緑光ＬＥＤが駆動された場合、発生される緑光は緑インク層（第２の光透過部２２）及び黄色インク層（第３の光透過部２３）のみを透過し、赤インク層（第１の光透過部２１）を透過できない。それによって、緑の文字パターンＢが表示される。
【００４６】
実施組合せ２は、図２Ｄに示すように、第１の光透過部２１はＬ１の透過スペクトルを有する赤インク層であり、第２の光透過部２２はＬ３の透過スペクトルを有する青インク層であり、第３の光透過部２３はＬ５の透過スペクトルを有するマゼンタインク層である。この実施組合せにおいて、第１の発光ユニット１１は、Ｅ１の波形を有する赤光ＬＥＤを含む。当該赤ＬＥＤが駆動された場合、発生される赤光は赤インク層（第１の光透過部２１）及マゼンタインク層（第３の光透過部２３）のみを透過し、青インク層（第２の光透過部２２）を透過できない。それによって、赤の文字パターンＡが表示される。又、第２の発光ユニット１２は、Ｅ３の発光スペクトルを有する青光ＬＥＤを含み、当該青光ＬＥＤが駆動された場合、発生される青光が青インク層（第２の光透過部２２）及びマゼンタインク層（第３の光透過部２３）のみを透過し、赤インク層（第１の光透過部２１）を透過できない。それによって、青の文字パターンＢが表示される。
【００４７】
実施組合せ３は、図２Ｅに示されるように、第１の光透過部２１は、Ｌ３の透過スペクトルを有する青インク層である。第２の光透過部２２は、上層がＬ２の透過スペクトルを有する緑インク層であって、下層がＬ４の透過スペクトルを有する黄色インク層である複合層からなる。また、第３の光透過部２３は、Ｌ２の透過スペクトルを有する緑インク層である。この実施組合せにおいて、第１の発光ユニット１１は、Ｅ３の発光スペクトルを有する青ＬＥＤを含む。発生される青光は青インク層（第１の光透過部２１）及び緑インク層（第３の光透過部２３）のみを透過でき、当該複合層（第２の光透過部２２）を透過できない。それによって、青の文字パターンＡが表示される。又、第２の発光ユニット１２は、Ｅ２の発光スペクトルを有する緑光ＬＥＤを含む。当該緑光ＬＥＤが駆動された場合、発生される緑光は複合層（第２の光透過部２２）及び緑インク層（第３の光透過部２３）のみを透過でき、青インク層（第１の光透過部２１）を透過できない。それによって、緑の文字パターンＢが表示される。
【００４８】
実施組合せ４は、図２Ｆに示されるように、第１の光透過部２１はＬ１の透光スペクトルを有する赤インク層である。第２の光透過部２２は、上層がＬ２の透過スペクトルを有する緑インク層であって、下層がＬ４の透過スペクトルを有する黄色インク層である複合層からなる。また、第３の光透過部２３は、Ｌ４の透過スペクトルを有する黄色インク層である。この実施組合せにおいて、第１の発光ユニット１１は、Ｅ１の発光スペクトルを有する赤光ＬＥＤを含む。当該赤光ＬＥＤが駆動された場合、発生される赤光は赤インク層（第１の光透過部２１）及び黄色インク層（第３の光透過部２３）のみを透過でき、当該複合層（第２の光透過部２２）を透過できない。それによって、赤の文字パターンＡが表示される。又、第２の発光ユニット１２は、Ｅ２の発光スペクトルを有する緑光ＬＥＤを含む。当該緑光ＬＥＤが駆動された場合、発生される緑光は複合層（第２の光透過部２２）及び黄色インク層（第３の光透過部２３）のみを透過し、赤インク層（第１の光透過部２１）を透過できない。それによって、緑の文字パターンＢが表示される。
【００４９】
表１
【表１】
2020134942.tif 000003
【００５０】
第２の実施例
図３Ａは、本発明に係る第２の実施例で提供されるディスプレイＤ'を示す上面模式図である。本発明に係る第２の実施例のディスプレイＤ'は、発光モジュール１及び模様付きパネル２を備える。発光モジュール１は、第１の発光ユニット１１及び第２の発光ユニット１２に加えて、第３の発光ユニット１３(図示せず)を含む。模様付きパネル２は、透光基板Ｓ、第１の光透過部２１、第２の光透過部２２、第３の光透過部２３及び第４の光透過部２４を含む。詳しく説明すると、第１の光透過部２１、第２の光透過部２２、第３の光透過部２３及び第４の光透過部２４は、いずれも透光基板Ｓ上の同一の表面に設けられる。第３の光透過部２３は、第１の光透過部２１と、第２の光透過部２２と、第４の光透過部２４との間に位置し、且つ第１の光透過部２１と、第２の光透過部２２と第４の光透過部２４とに隣接する。なお、第１の発光ユニット１１は、第１の光透過部２１の下に位置し、第２の発光ユニット１２は、第２の光透過部２２の下に位置し、第３の発光ユニット１３は、第４の光透過部２４の下に位置する。
【００５１】
図３Ｂに示されるように、第１の光透過部２１、第２の光透過部２２及び第４の光透過部２４と第３の光透過部２３の組合せにより、本発明に係る第２の実施例のディスプレイＤ'は、第１の光透過部２１と第３の光透過部２３との組合せである第１の文字パターンＡ、第２の光透過部２２と第３の光透過部２３との組合せである第２の文字パターンＢ、及び第４の光透過部２４と第３の光透過部２３との組合である第３の文字パターンＣの３種類の文字パターンを表示できる。
【００５２】
次に、表２及び図３Ｃを参照して、本実施例における各部材のスペクトル特性を説明する。第１の光透過部２１は、Ｌ１の透過スペクトルを有する赤インク層である。第２の光透過部２２は、上層がＬ２の透過スペクトルを有する緑インク層であって、下層がＬ４の透過スペクトルを有する黄色インク層である複合層からなる。第３の光透過部２３は、光拡散剤のみが添加された白インク層（全透過）である。第４の光透過部２４は、Ｌ３の透過スペクトルを有する青インク層である。一方、第１の発光ユニットは、Ｅ１の発光スペクトルを有する赤光ＬＥＤを含み、第２の発光ユニットは、Ｅ２の発光スペクトルを有する緑光ＬＥＤを含み、第３の発光ユニットは、Ｅ３の発光スペクトルを有する青光ＬＥＤを含む。
【００５３】
よって、当該赤光ＬＥＤが駆動された場合、発生される赤光は赤インク層（第１の光透過部２１）及び白インク層（第３の光透過部２３）のみを透過でき、複合層（第２の光透過部２２）及び青インク層（第４の光透過部２４）を透過できない。それによって、赤の文字パターンＡが表示される。当該緑光ＬＥＤが駆動された場合、発生される緑光は複合層（第２の光透過部２２）及び白インク層（第３の光透過部２３）のみを透過でき、赤インク層（第１の光透過部２１）及び青インク層（第４の光透過部２４）を透過できない。それによって、緑の文字パターンＢが表示される。当該青光ＬＥＤが駆動された場合、発生される青光が青インク層（第４の光透過部２４）及び白インク層（第３の光透過部２３）のみを透過でき、赤インク層（第１の光透過部２１）及び複合層（第２の光透過部２２）を透過できない。それによって、青の文字パターンＣが表示される。
【００５４】
表２
【表２】
2020134942.tif 000004
【００５５】
第３の実施例
図４Ａは、本発明に係る第３の実施例で提供されるディスプレイＤ"の上面模式図である。図４Ａに示されるように、本発明に係る第３の実施例のディスプレイＤ"は、発光モジュール１及び模様付きパネル２を備える。発光モジュール１は、第１の発光ユニット１１及び第２の発光ユニット１２の他に、第３の発光ユニット１３(図示せず)を含む。模様付きパネル２は、透光基板Ｓ、及び第１の光透過部２１〜第７の光透過部２７を備える。詳しく説明すると、図４Ｂに示されるように、第１の光透過部２１〜第７の光透過部２７の組合せにより、本発明に係る第３の実施例のディスプレイＤ"は、第１の光透過部２１、第３の光透過部２３、第５の光透過部２５及び第７の光透過部２７の組合せである第１の文字パターンＡと、第２の光透過部２２、第３の光透過部２３、第５の光透過部２５及び第６の光透過部２６の組合せである第２の文字パターンＢと、第４の光透過部２４、第３の光透過部２３、第６の光透過部２６及び第７の光透過部２７の組合せである第３の文字パターンＣと、文字パターンを表示することができる。
【００５６】
次に、表３及び図４Ｃを参照して、本実施例における各部材のスペクトル特性を説明する。第１の光透過部２１は、Ｌ１の透過スペクトルを有する赤インク層である。第２の光透過部２２は、上層がＬ２の透過スペクトルを有する緑インク層であって、下層がＬ４の透過スペクトルを有する黄色インク層である複合層からなる。第３の光透過部２３は、光拡散剤のみが添加された白インク層（全透過）である。第４の光透過部２４は、Ｌ３の透過スペクトルを有する青インク層である。なお、第５の光透過部２５は、Ｌ４の透過スペクトルを有する黄色インク層である。第６の光透過部２６は、Ｌ２の透過スペクトルを有する緑インク層である。第７の光透過部２７は、Ｌ５の透過スペクトルを有するマゼンタインク層である。一方、第１の発光ユニットは、Ｅ１の発光スペクトルを有する赤光ＬＥＤを含み、第２の発光ユニットは、Ｅ２の発光スペクトルを有する緑光ＬＥＤを含み、第３の発光ユニットは、Ｅ３の発光スペクトルを有する青光ＬＥＤを含む。
【００５７】
よって、当該赤光ＬＥＤが駆動された場合、発生される赤光は赤インク層（第１の光透過部２１）、白インク層（第３の光透過部２３）、黄色インク層（第５の光透過部２５）及びマゼンタインク層（第７の光透過部２７）のみを透過でき、他の光透過部を透過できない。それによって、赤の文字パターンＡが表示される。当該緑光ＬＥＤが駆動された場合、発生される緑光は、複合層（第２の光透過部２２）、白インク層（第３の光透過部２３）、黄色インク層（第５の光透過部２５）及び緑インク層（第６の光透過部２６）のみを透過でき、他の光透過部を透過できない。それによって、緑の文字パターンＢが表示される。当該青光ＬＥＤが駆動された場合、発生される緑光は、青インク層（第４の光透過部２４）、白インク層（第３の光透過部２３）、緑インク層（第６の光透過部２６）及びマゼンタインク層（第７の光透過部２７）のみを透過でき、他の光透過部を透過できない。それによって、緑の文字パターンＣが表示される。
【００５８】
表３
【表３】
2020134942.tif 000005
【００５９】
第４の実施例
本発明の第１の実施例〜第３の実施例で提供されたディスプレイの他に、本発明は、模様付きパネル及びその模様付きパネルを備えるディスプレイの製造方法をも提供する。本発明における模様付きパネルの製造方法の流れ図である図５Ａに示されるように、当該製造方法は、透光基板を提供する工程であるＳ１００と、透光基板に第１の光透過部１を形成する工程であるＳ２００と、透光基板に第２の光透過部２を形成する工程であるＳ３００と、及び透光基板に第３の光透過部３を形成する工程であるＳ４００と、を含む。
【００６０】
図５Ｂに示されるように、本発明に係る模様付きパネルの製造方法は、透光基板に第４の光透過部４を形成する工程であるＳ５００をさらに含む。なお、第４の透過スペクトルを有する第４の光透過部４は第３の光透過部３に隣り合い、第３の透過スペクトルと第４の透過スペクトルの一部は重なる。
【００６１】
第１の光透過部２１、第２の光透過部２２、第３の光透過部２３、第４の光透過部２４そのもの、及び第１の光透過部２１、第２の光透過部２２、第３の光透過部２３、第４の光透過部２４の透過スペクトルは、上記と同様のため、説明を省略する。
【００６２】
また、光透過部を形成する工程Ｓ２００、Ｓ３００、Ｓ４００及びＳ５００の順序は特に限定されない。
【００６３】
さらに、第１の光透過部２１、第２の光透過部２２、第３の光透過部２３及び第４の光透過部２４を形成する方法は、蒸着、スパッタリング又は伝統的インク印刷であってもよい。伝統的インク印制は、微細の文字符パターンを製造できるため、より好ましい。
【００６４】
さらに、前述の構成に対し、適合な発光モジュールを選用して、模様付きパネルを発光モジュールの上に設置することにより、本発明のディスプレイを得ることができる。
【００６５】
[本発明による有益な効果]
本発明の効果の一つは以下の通りである。本発明が提供するディスプレイは、「透光基板に設けられ、第３の透過スペクトルを有する第３の光透過部」、「上記第３の光透過部は上記第１の光透過部及び上記第２の光透過部に隣り合い」及び「上記第３の透過スペクトルは、上記第１の透過スペクトルと上記第２の透過スペクトルとそれぞれ部分的に重なる」という技術手段により、本発明における模様付きパネルに発光モジュールを組合せると、ディスプレイの模様付きパネルにおける近くのブロック位置に、異なる文字、符号又はパターンを表示できる。それによって、模様付きパネルの面積を有効に小さくでき、ディスプレイのサイズをも小さくできる。
【００６６】
さらに、本発明における第３の光透過部によれば、第１の光透過部、第２の光透過部及び第４の光透過部は、透光基板の同一の平面に設けることができる。それにより、模様付きパネルの厚さを有効に小さくできる。
【００６７】
また、本発明における第３の光透過部によれば、模様付きパネルの面積、厚さを小さくできるだけでなく、模様付きパネルの色の多様性にも寄与できる。本発明における所定の透過スペクトルの波長範囲によれば、ディスプレイの色の正確率が向上し、それにより、色ずれが発生する比率を減少できる。
【００６８】
以上に開示された内容は本発明の好ましい実施可能な実施例に過ぎず、これにより本発明の特許請求の範囲を制限するものではない。従って、本発明の明細書及び図面の内容に基づき為された均等の技術的変形は、全て本発明の特許請求の範囲に含まれるものとする。
【図１Ａ】
2020134942.tif 000006
【図１Ｂ】
2020134942.tif 000007
【図２Ａ】
2020134942.tif 000008
【図２Ｂ】
2020134942.tif 000009
【図２Ｃ】
2020134942.tif 000010
【図２Ｄ】
2020134942.tif 000011
【図２Ｅ】
2020134942.tif 000012
【図２Ｆ】
2020134942.tif 000013
【図３Ａ】
2020134942.tif 000014
【図３Ｂ】
2020134942.tif 000015
【図３Ｃ】
2020134942.tif 000016
【図４Ａ】
2020134942.tif 000017
【図４Ｂ】
2020134942.tif 000018
【図４Ｃ】
2020134942.tif 000019
【図５Ａ】
2020134942.tif 000020
【図５Ｂ】
2020134942.tif 000021